(57)【特許請求の範囲】
【請求項１】
１つ以上のＬＥＤ、商用電力のＡＣ−ＤＣ変換回路、充電電池、電池充電−出力電源制御回路、フォトセンサおよびフォトセンサ制御によるＬＥＤ点灯回路を具備する電球形ＬＥＤランプにおいて、
電球口金ソケットに装着されるとオンとなり電球口金ソケットから取り外されるとオフとなるスイッチ機構１を有し、
電球口金ソケットに装着されかつ商用電力が供給されている場合は、電池充電−出力電源制御回路および該フォトセンサ制御によるＬＥＤ点灯回路を作動させて充電電池に充電しながら電球形ＬＥＤランプの点灯・調光・消灯を制御し、
電球口金ソケットに装着されかつ商用電力が絶たれた場合は、充電電池から電力を供給して、該フォトセンサ制御によるＬＥＤ点灯回路を作動させて電球形ＬＥＤランプの点灯・調光・消灯を制御し、
電球口金ソケットから取り外された場合は、電球形ＬＥＤランプを点灯すること、
を特徴とする電球形ＬＥＤランプ
【請求項２】
１つ以上のＬＥＤ、商用電力のＡＣ−ＤＣ変換回路、充電電池、電池充電−出力電源制御回路、フォトセンサおよびフォトセンサ制御によるＬＥＤ点灯回路を具備する電球形ＬＥＤランプにおいて、
該充電電池から該フォトセンサ制御によるＬＥＤ点灯回路への電力供給をオン・オフするスイッチ機構２および電球口金ソケットに装着されるとオンとなり電球口金ソケットから取り外されるとオフとなるスイッチ機構１を有し、
電球口金ソケットに装着されかつ商用電力が供給されている場合は、電池充電−出力電源制御回路および該フォトセンサ制御によるＬＥＤ点灯回路を作動させて充電電池に充電しながら電球形ＬＥＤランプの点灯・調光・消灯を制御し、
電球口金ソケットに装着されかつ商用電力が絶たれた場合は、該スイッチ機構２をオンとすることにより充電電池から電力を供給して、該フォトセンサ制御によるＬＥＤ点灯回路を作動させて電球形ＬＥＤランプの点灯・調光・消灯を制御し、
電球口金ソケットから取り外された場合は、手動操作によって該スイッチ機構２をオン・オフさせて電球形ＬＥＤランプを点灯・消灯すること、
を特徴とする電球形ＬＥＤランプ
【請求項３】
請求項１および請求項２に記載の発明において、電球口金ソケットから外された場合に、警報を発する機構を具備したこと、を特徴とする電球形ＬＥＤランプ
【発明の詳細な説明】
【技術分野】
【０００１】
本願発明は、通常使用時は商用電源の電球口金ソケットを利用した電球形ＬＥＤランプであるが、電力が絶たれた時には具備する充電電池によってランプの機能を保持し、さらに、電球口金ソケットから外した場合は携帯電灯として使用できるとともに警報を発するようにして、緊急時の有用性を高めた電球形ＬＥＤランプに関する。
【背景技術】
【０００２】
省電力化が可能なこと等の理由から、商用電源の電球口金ソケットを利用した電球形ＬＥＤランプについて、種々の開発がされてきている。その中には、ＬＥＤの駆動電圧・電力が低くて済むことから、バッテリを具備し、電源の供給が絶たれた時にバッテリ電源を駆動源としてＬＥＤを点灯させる電球形ＬＥＤランプも開発されている。
【０００３】
一例として、特開２００５―１２３０４５がある。該発明は、バッテリを具備していることから停電等の電力供給が途絶えた時にはバッテリから電力を供給してＬＥＤを点灯させることができるとともに、電球口金ソケットから取り外して持ち運び可能な光源として使用することができる電球形ＬＥＤランプについて記載されている。
【０００４】
しかしながら、該発明は、フォトセンサ（光センサ、光感応センサ、光感知センサ、以下適宜「フォトセンサ」または「センサ」と言う。）が存在しないことから、電力が供給されているときは、絶えず一定の強さの光源として作動することとなり、光源の強さの設定はスイッチによって段階的に行うことができるようになっている。
したがって、明るい昼間等の照明不要時においては、手動によって電源をオフにしなければならず、省電力を充分行い得るとは言いがたい。
【０００５】
また、上記発明は、単に、電球口金ソケットから取り外して持ち運び可能な光源として使用する機能だけを有する電球形ＬＥＤランプであって、取り外した後に警報を発するようにすれば緊急時や盗難防止に一層有用なものとなるが、該発明ではこのような機能を有していない。
【０００６】
さらに、上記発明は、フォトセンサのみならず人感知センサ（以下適宜「人感センサ」という。）も有していないことから、人の存在を感知して、必要に応じ、ＬＥＤを点灯させるというような省エネルギなものとはなっていない。
【０００７】
【特許文献１】特開２００５―１２３０４５号公報
【発明の概要】
【発明が解決しようとする課題】
【０００８】
本願発明は、上記のような事情のもとで考えだされた電球形ＬＥＤランプで、電球口金ソケットに取り付けられ商用電源が供給された場合は、フォトセンサによる制御回路によって電球形ＬＥＤランプの近傍の照度に応じて、即ち暗い時には点灯し、明るい昼間等には消灯し、中間の明暗時には光源の強さを調光して、消費電力が少なくなるように制御し、停電等の緊急時の場合は、バッテリ（以下、本願発明に関しては適宜「充電電池」という。）から電力を供給して、上述のごとく点灯・消灯・調光する光源として作動するとともに、さらに、電球口金ソケットから取り外された場合は、携帯可能な光源として利用できる電球形ＬＥＤランプを提供することを課題とする。
【０００９】
さらに、電球口金ソケットに取り付けられた場合の上述の機能に加え、電球口金ソケットから取り外された場合は、フォトセンサによる制御回路の作動を停止し、スイッチ機構によりＬＥＤを点灯・消灯することができるようにして、通常の携帯電灯と同様な携帯可能な光源として利用できる電球形ＬＥＤランプを提供することを課題とする。
【００１０】
また、電球口金ソケットから取り外して持ち運び可能な光源として使用可能な電球形ＬＥＤランプであるにしても、取り外して持ち運ぶ際の光源に加えて、適時に警報を発することができれば、持ち運んでいる人の存在が音源として他人に認知され、緊急時の有用性は一層高まることとなり、さらに電球形ＬＥＤランプの盗難防止にも役立つものとなることから、電球口金ソケットから取り外した場合には警報を発生する機構を具備する電球形ＬＥＤランプを提供することを課題とする。
【００１１】
さらに、人感センサを具備して、人の存在を感知して、必要に応じ、ＬＥＤを点灯させる省エネルギな電球形ＬＥＤランプであって、かつ、通常の携帯電灯と同様な携帯可能な光源として利用できる電球形ＬＥＤランプを提供することを課題とする。
【課題を解決するための手段】
【００１２】
１つ以上のＬＥＤ、商用電力のＡＣ−ＤＣ変換回路、充電電池、電池充電−出力電源制御回路、フォトセンサおよびフォトセンサ制御によるＬＥＤ点灯回路を具備する電球形ＬＥＤランプにおいて、電球口金ソケット（以下適宜単に「ソケット」と言う。）に装着されるとオンとなりソケットから取り外されるとオフとなるスイッチ機構１を有し、ソケットに装着されかつ商用電力が供給されている場合は、電池充電−出力電源制御回路およびフォトセンサ制御によるＬＥＤ点灯回路を作動させて充電電池に充電しながら電球形ＬＥＤランプの点灯・調光・消灯を制御し、ソケットに装着されかつ商用電力が絶たれた場合は、充電電池から電力を供給して、フォトセンサ制御によるＬＥＤ点灯回路を作動させて電球形ＬＥＤランプの点灯・調光・消灯を制御し、さらに、ソケットから取り外された場合は、ＬＥＤを点灯させ、携帯可能な光源として利用できる電球形ＬＥＤランプとした。
【００１３】
また、上述の課題解決手段に加え、充電電池からフォトセンサ制御によるＬＥＤ点灯回路への電力供給をオン・オフするスイッチ機構２を設け、電球口金ソケットから取り外された場合は、フォトセンサによる制御回路の作動を停止し、スイッチ機構２によりＬＥＤを点灯・消灯することができるようにして、通常の携帯電灯と同様な携帯可能な光源として利用できる電球形ＬＥＤランプとした。
【００１４】
さらに加えて、電球形ＬＥＤランプがソケットから取り外されたときは、警報を発する機構を持たせた電球形ＬＥＤランプとした。
【００１５】
また、人感センサ制御回路を設け、人の存在を感知した時に、電球形ＬＥＤランプを点灯させるようにし、さらに、電球形ＬＥＤランプがソケットから取り外された場合は、携帯可能な光源として、スイッチを手動によりオン・オフさせることにより、点灯・消灯可能な電球形ＬＥＤランプとした。
【発明の効果】
【００１６】
充電電池を具備し通常時には充電されていることから、停電等の電力の供給が絶たれた緊急時には、非常灯として作動させることが可能となる。
【００１７】
フォトセンサ制御によるＬＥＤ点灯回路を作動させて電球形ＬＥＤランプの光源の強さを制御可能にしたことから、照明が必要な時に適度な明るさで点灯させることができ、一層の省電力を図ることができるとともに、電球形ＬＥＤランプとしての製品寿命を長くすることが可能となる。
【００１８】
さらに、電球形ＬＥＤランプがソケットから取り外されたときは、携帯電灯と同等なオン・オフ機能を有する光源として使用が可能となる。
したがって、改めて乾電池による非常灯を用意する必要性がなくなる。
また、常時充電されていることから、乾電池の場合のように自然消耗に関する非常灯としての管理の必要性がなくなる。
【００１９】
さらに、取り外した時には警報を発するようにしたことから、緊急時には音源として人の存在を知らしめることが可能となったことから、人命救助に一層役立つものとなり、かつ電球形ＬＥＤランプの盗難防止にも役立つ。
【００２０】
また、人の存在を感知したときに点灯するようにしたことから、いちいち点灯・消灯のスイッチを操作することなく、人が明かりを必要とする時にだけ、点灯させることができ、一層の省エネルギに貢献できる。
このことを裏返せば、防犯灯として使用することもできることとなり、さらに有用なものとなる。
【図面の簡単な説明】
【００２１】
【図１】本願発明の概略回路である。
【図２】電球形ＬＥＤランプ、フォトセンサ、スイッチ１およびスイッチ２を示す外観図である。
【図３】本願発明の人感センサ制御回路を有する場合の概略回路である。
【図４】本願発明の人感センサ制御回路を有する場合の、電球形ＬＥＤランプ、フォトセンサ、スイッチ２および人感センサを示す外観図である。
【発明を実施するための形態】
【００２２】
図１に、本願発明の請求項２および請求項３に相当する実施例の回路図を示す。
大別して、ＡＣ−ＤＣ変換回路(１０)、安定化レギュレータ(２０)、電池充電−出力電源制御回路(３０)、センサ制御−ＬＥＤ点灯回路(４０)および警報回路(６０)からなり、スイッチ機構１がセンサ制御−ＬＥＤ点灯回路に、スイッチ機構２が電池充電−出力電源制御回路に設けられている。充電電池(３４)には、通常 Ni-MH電池が使用される。
なお、本願発明のスイッチ機構１およびスイッチ機構２には、簡便な押し込み型・接触型のスイッチ１(４１)およびスイッチ２(３３)を使用しているが、電子型・近接型のスイッチを使用することも出来る。
本願発明の請求項１および請求項３に相当する実施例では、図１において、スイッチ２およびダイオード１(３２)が不要となる。
【００２３】
以降においては、請求項２相当の実施例について記述し、請求項１と差違が在る場合はその都度言及するものとする。
電球形ＬＥＤランプ（図２）がソケット（図示省略）に装着されると、スイッチ１(４１)がオン状態（ｂ接点がオン状態）になる（図１）。
商用電力が供給されると、商用電源は、整流ダイオード(１１)、コンデンサ(１２)およびスイッチングレギュレータ(１３)からなるＡＣ−ＤＣ変換回路(１０)によって、ＬＥＤ駆動に必要な直流電源Ｖ１に変換される。
また、直流電源Ｖ１は、安定化レギュレータ(２０)により、電池充電−出力電源制御回路(３０)およびセンサ制御−ＬＥＤ点灯回路(４０)に必要な直流電源Ｖ２に変換され、さらに、直流電源Ｖ２は、充電ＩＣ(３１)によって、充電電池(３４)に必要な電源に変換される。
充電電池には、ダイオード１(３２)を介して常に電力が供給されるため、スイッチ２(３３)の状態によらず、充電電池は充電される。
ここにおいて、スイッチ２が存在しない場合（請求項１の場合）には、ダイオード１は不要であり、充電電池は充電される。
直流電源Ｖ３は、トランジスタスイッチ１(３５)がオフのため、直流電源Ｖ２からダイオード２(３６)を通じて、フォトセンサ(４２)およびＬＥＤ駆動用ＤＤコンバータ(４７)に供給される。
スイッチ１がオン状態（ｂ接点がオン状態）であるから、フォトセンサが有効となり、フォトセンサの出力は抵抗(４３)の出力となり、インバータ回路１(４４)の入力となる。
インバータ回路１の入力レベルにはしきい値があることから、抵抗での出力電圧がインバータ回路１のしきい値の下に在るか上に在るかによって、インバータ回路１の出力はハイレベル／ローレベルとなる。
【００２４】
電球形ＬＥＤランプ（図２）がソケット（図示省略）に装着され、かつ、商用電力が供給されていて、フォトセンサ(４２)が受光する光にゆらぎがなく一定である場合、抵抗(４３)での出力電圧は、フォトセンサの周囲が暗ければローレベル、明るければハイレベルの状態になり、インバータ回路１(４４)で反転されて、トランジスタスイッチ２(４９)はそれぞれオン・オフとなり、ＬＥＤ(５０)は点灯・消灯状態に制御される。
インバータ回路２(４５)の出力はローレベルであることから ＡＮＤ回路(４６)の出力はローレベルとなり、ＤＤコンバータ(４７)は作動停止状態にあるから、この場合は、ＤＤコンバータはＬＥＤの点滅に関与しないことになる。
【００２５】
電球形ＬＥＤランプ（図２）がソケット（図示省略）に装着され、かつ、商用電力が供給されていて、フォトセンサ(４２)が受光する光にゆらぎがある場合、センサ制御−ＬＥＤ点灯回路(４０)による光源の強さの制御（以下適宜「調光」という。）は、次のように行われる。
フォトセンサに入る光はゆらぎを有しているから、抵抗(４３)での出力電圧がインバータ回路１(４４)のしきい値の下に在るか上に在るかによって、インバータ回路１の出力はハイレベル／ローレベルを繰り返すことになる。
インバータ回路１の出力がハイレベルの場合はトランジスタスイッチ２(４９)はオンとなりＬＥＤ(５０)は点灯され、ローレベルの場合はトランジスタスイッチ２はオフとなりＬＥＤは消灯される。
したがって、フォトセンサに入る光のゆらぎのうち、暗い時間が多ければインバータ回路１の出力はハイレベルの時間の多いパルス波となり、逆に、明るい時間が多ければインバータ回路１の出力はローレベルの多いパルス波となることから、結局、ハイレベルのパルス波とローレベルのパルス波の比に対応して、ＬＥＤの光源としての強さが制御されることになり、調光が行われることになる。
なお、この場合も、インバータ回路２(４５)の出力はローレベルであることから ＡＮＤ回路(４６)の出力はローレベルとなり、ＤＤコンバータ(４７)は作動停止状態にあるから、この場合は、ＤＤコンバータはＬＥＤの点滅に関与しないことになる。
【００２６】
電球形ＬＥＤランプ(図２)がソケットに装着された（スイッチ１(４１)がオン、ｂ接点がオン、図１）状態で、商用電力の供給が絶たれると、直流電源Ｖ１および直流電源Ｖ２は共にオフとなり、充電電池(３４)への充電は行われない。
スイッチ２(３３)がオンであれば、トランジスタスイッチ１(３５)がオンになり、充電された電力が直流電源Ｖ３として供給される。
ここにおいて、スイッチ２が存在しない場合（請求項１の場合）には、トランジスタスイッチ１がオンになるから、充電電池からの電力が直流電源Ｖ３として供給される。
スイッチ１がオン状態であるから、フォトセンサ(４２)が有効となり、抵抗(４３)での出力電圧は、フォトセンサの周囲が暗ければローレベル、明るければハイレベルの状態になり、インバータ回路１(４４)で反転されて、トランジスタスイッチ２(４９)はそれぞれオン・オフに制御される。
一方、インバータ回路２(４５)の出力はハイレベルであることから 、ＡＮＤ回路(４６)の出力はインバータ回路１の出力のハイレベル／ローレベルと同じになり、インバータ回路１の出力がハイレベルであれば、ＤＤコンバータ(４７)は作動状態になり、直流電源Ｖ３がＤＤコンバータの出力としてダイオード３(４８)を介してＬＥＤ(５０)に供給され、ＬＥＤは、上記のトランジスタスイッチ２のオン／オフに制御されて、点灯／消灯しつつ調光されることになる。
スイッチ２がオフであれば、ダイオード１(３２)により、直流電源Ｖ３は充電電池からの電力供給が絶たれるので、センサ制御−ＬＥＤ点灯回路(４０)の機能が停止し、ＬＥＤは消灯する。
ここにおいて、スイッチ２が存在しない場合（請求項１の場合）には、充電電池からの電力が直流電源Ｖ３として供給され、ＬＥＤは点灯し続けることになる。
したがって、スイッチ２は、特別な事情がない限り、電球形ＬＥＤランプがソケットに装着された状態では、オン状態としておくことが望ましいことから、スイッチ２としてはデフォルトでオン状態になる機構のものが使用される。
また、スイッチ１はスイッチ２と連動させることもできる（詳細省略）。
【００２７】
電球形ＬＥＤランプ(図２)がソケットから取り外されると、スイッチ１(４１)はオフ状態になり、フォトセンサ(４２)が無効となる。
したがって、スイッチ２(３３)がオンであれば、トランジスタスイッチ１(３５)がオンになり、充電電池(３４)からの電力が直流電源Ｖ３として供給される。
ここにおいて、スイッチ２が存在しない場合（請求項１の場合）には、トランジスタスイッチ１がオンになるから、充電電池からの電力が直流電源Ｖ３として供給される。
インバータ回路１(４４)の出力はハイレベルの状態になり、インバータ回路２(４５)の出力はハイレベルであることから ＡＮＤ回路(４６)の出力はハイレベルとなり、ＤＤコンバータ(４７)は作動状態になり、直流電源Ｖ３がＤＤコンバータの出力電圧としてダイオード３(４８)を介してＬＥＤ(５０)に供給され、ＬＥＤは点灯することになる。
スイッチ２がオフであれば、ダイオード１(３２)により、直流電源Ｖ３は充電電池からの電力供給が絶たれるので、センサ制御−ＬＥＤ点灯回路(４０)の機能が停止し、ＬＥＤは消灯する。
ここにおいて、スイッチ２が存在しない場合（請求項１の場合）には、充電電池からの電力が直流電源Ｖ３として供給され、ＬＥＤは点灯することになる。
【００２８】
以上の内容について、相互作動関係について纏めると以下のようになる。
【表１】
0005467212.tif 000002
【００２９】
警報装置として簡易な実施例として、ブザー(６１)を設けた警報回路(６０)を図１に示す。
電球形ＬＥＤランプ(図２)をソケットから外すと、スイッチ１(４１)がオフ状態（ａ接点がオン状態）となり、充電電池(３４)からの直流電源Ｖ４がスイッチ１を介して直流電源ＢＺＥとなって警報回路が有効となり、ブザーが鳴動することになる。
この際、発するブザー音が非常事態を告げる警報であれば一層好都合である。
【００３０】
以上、図１による実施例について記載したが、これに基づく一般的な使用例を纏めると以下のようになる。
通常は、電球形ＬＥＤランプ(図２)をソケットに装着しているが、この場合には、商用電力の供給があれば、充電電池(３４)は適時充電されつつ、電球形ＬＥＤランプは、センサ制御を受けて周囲の明るさに応答して、適時点灯し、商用電力の供給が絶たれると、充電電池の電力の下、電球形ＬＥＤランプは、センサ制御を受けて周囲の明るさに応答して、適時点灯する。
そして、電球形ＬＥＤランプがソケットから外された時は、警報回路が作動し、一方、電球形ＬＥＤランプは、センサ制御を受けずに、一定の明るさで点灯し、スイッチ２(３３)を手動でオン・オフすることにより点灯・消灯可能な携帯電灯を兼ねることになる。
ここにおいて、スイッチ２が存在しない場合（請求項１の場合）には、ＬＥＤ(５０)は点灯しつづける携帯可能な光源として利用できることになる。
【００３１】
なお、上記の実施例の場合において、電球形ＬＥＤランプ(図２)がソケットから外された時に、センサ制御を外したのは、緊急事態が発生した時の周辺は、明暗が急激に変化する環境下にある場合が多いと考えられ、周辺環境の明暗に電球形ＬＥＤランプの光源の強さを変化させては、却って、不都合が生じる怖れがあるからと考えたからであって、当然のことながら、電球形ＬＥＤランプをセンサ制御の下に置くことも可能である（図示省略）。
【００３２】
また、上記００２６においては、電球形ＬＥＤランプ(図２)がソケットに装着された（スイッチ１(４１)がオン、ｂ接点がオン、図１）状態で、商用電力の供給が絶たれた場合について記載し、その場合であってもスイッチ２(３３)がオン・オフできる機構・回路である実施例を記載したが、上記のような場合であっても、スイッチ２がオンだけの状態、即ち、電球形ＬＥＤランプ(図２)がソケットに装着されていれば、スイッチ１とスイッチ２を連動させることによって、商用電力の供給の如何を問わず、電球形ＬＥＤランプを点灯モードにすることもできる（図示省略）。
【００３３】
警報装置としてのさらなる実施例としては、上記実施例に加え、スイッチ１(４１)を３回路方式とし、デフォルトのソケットに装着された状態では、ＬＥＤ（５０）が点灯しかつ警報回路(６０)はオフとし、ソケットから外された状態では第１回の押し込みまたは回旋された状態となって、ＬＥＤが点灯したまま警報回路をオンにし、第２回相当の次の押し込みまたは回旋で、ＬＥＤ消灯・警報回路オフ、第３回相当のさらなる押し込みまたは回旋でデフォルトに戻るようにする方法もある（図示省略）。
なお、この程度の操作であれば、緊急時に説明書を読まなくても、通常のスイッチ操作として的確な操作が期待できるので至便である。
【００３４】
人感センサ制御回路(９０)による実施例（図３および図４）としては、以下のようになる。
【００３５】
電球形ＬＥＤランプ（図４）がソケット（図示省略）に装着され、商用電力が供給されると、商用電源は、整流ダイオード(１１)、コンデンサ(１２)およびスイッチングレギュレータ(１３)からなるＡＣ−ＤＣ変換回路(１０)によって、ＬＥＤ駆動に必要な直流電源Ｖ１に変換される。
また、直流電源Ｖ１は、安定化レギュレータ(２０)により、電池充電−出力電源制御回路(３０)およびセンサ制御−ＬＥＤ点灯回路(７０)に必要な直流電源Ｖ２に変換され、さらに、直流電源Ｖ２は、充電ＩＣ(３１)によって、充電電池(３４)に必要な電源に変換される。
充電電池には、ダイオード１(３２)を介して常に電力が供給されるため、スイッチ２(３３)の状態によらず、充電電池は充電される。
この場合、トランジスタスイッチ１(３５)がオフのため、直流電源Ｖ３は発生せず、したがって、ＬＥＤ駆動用ＤＤコンバータ(７７)は作動しないので、この回路からの電源によっては、ＬＥＤ(８０)は点灯しない。
【００３６】
電球形ＬＥＤランプ（図４）がソケット（図示省略）に装着され、かつ、商用電力が供給されている場合は、以下のように作動する。
センサ制御−ＬＥＤ点灯回路(７０)の抵抗(７３)での出力電圧は、フォトセンサ(７２)の周囲が暗ければローレベル、明るければハイレベルの状態になり、インバータ回路１(７４)で反転されて、ハイレベル／ローレベルとなってＡＮＤ回路(７６)への入力となる。
一方、人感センサ制御回路(９０)において、人感センサ(９１)は、人の存在を感知すればローレベル、人の存在を感知しなければハイレベルの出力となり、これがタイマーＩＣ(９２)の入力となり、タイマーＩＣの出力Ｓ０は、それぞれハイレベル／ローレベルとなって、ＡＮＤ回路への入力となる。
したがって、フォトセンサの周囲が暗く、かつ、人の存在を感知した場合に、ＡＮＤ回路の出力はハイレベルとなり、トランジスタスイッチ２(７９)はオンとなって、ＬＥＤ(８０)は点灯する。
また、タイマーＩＣの出力Ｓ０がハイレベルの場合、タイマーＩＣのＤＣ端子の出力はハイレベルとなって、可変抵抗(９３)とコンデンサ(９４)で決定される時定数で、コンデンサを充電させる、とともに、コンデンサの充電電圧はタイマーＩＣのＴＨ端子で検出される。ＴＨ端子で検出した充電電圧が一定のしきい値に達すると、タイマーＩＣは、出力Ｓ０をハイレベルからローレベルへと切り替えてＬＥＤ(８０)を消灯させる、とともに、ＤＣ端子をローレベルにして、コンデンサを放電させる。
コンデンサの放電が終わると、タイマーＩＣは初期状態に戻り、新たに人の存在の感知に備えることになる。即ち、可変抵抗とコンデンサで決定される時定数で決まる時間の間、ＬＥＤは点灯し続け、さらに人の存在が感知されれば、ＬＥＤは点灯を繰り返すことになる。
なお、時定数を決定する抵抗に可変抵抗を使用したことから、電球形ＬＥＤランプの設置場所の状況に応じて、ＬＥＤの点灯時間を適宜調整することが可能となる。
【００３７】
電球形ＬＥＤランプ（図４）がソケット（図示省略）から取り外された場合は、以下のように作動する。
直流電源Ｖ２が絶たれることから、センサ制御−ＬＥＤ点灯回路(７０)および人感センサ制御回路(９０)は作動しない。
スイッチ２(３３)がオンであれば、トランジスタスイッチ１(３５)がオンとなって、充電電池(３４)から直流電源Ｖ３が供給され、ＬＥＤ駆動用ＤＤコンバータ(７７)が作動してＬＥＤ(８０)は点灯する。
スイッチ２をオフとすれば、充電電池からの電源供給が絶たれ、ＬＥＤは消灯する。
したがって、電球形ＬＥＤランプは、スイッチ２を手動でオン・オフすることにより、点灯・消灯可能な携帯電灯を兼ねることになる。
【００３８】
なお、本実施例（図３および図４）においても、先の実施例と同様、警報回路を具備することもできる。
【００３９】
本願発明は上記の実施例に限定されるものではなく、特許請求の範囲の記載に逸脱せず、当業者であれば容易に想到し得る範囲でなされる種々の変形態様も本願発明に含まれる。
【産業上の利用可能性】
【００４０】
本願発明は、通常時に常用できるものであり、その上、非常時においても使用可能なものであるが、保安設備の非常灯としても使用できるものである。
また、人感センサ制御回路を設けたことにより、防犯灯としても使用できるものである。
【符号の説明】
【００４１】
１０    ＡＣ−ＤＣ変換回路
１１    整流ダイオード
１２    コンデンサ
１３    スイッチングレギュレータ
２０    安定化レギュレータ
３０    電池充電−出力電源制御回路
３１    充電ＩＣ
３２    ダイオード１
３３    スイッチ２
３４    充電電池
３５    トランジスタスイッチ１
３６    ダイオード２
４０    センサ制御−ＬＥＤ点灯回路（その１）
４１    スイッチ１
４２    フォトセンサ
４３    抵抗
４４    インバータ回路１
４５    インバータ回路２
４６    ＡＮＤ回路
４７    ＤＤコンバータ
４８    ダイオード３
４９    トランジスタスイッチ２
５０    ＬＥＤ
６０    警報回路
６１    ブザー
Ｖ１    直流電源（ＬＥＤ駆動用）
Ｖ２    直流電源（センサ制御−ＬＥＤ点灯回路用）
Ｖ３    直流電源（ＤＤコンバータ用）
Ｖ４    直流電源（警報回路用）
ＢＺＥ  直流電源（警報回路用）
７０    センサ制御−ＬＥＤ点灯回路（その２）
７２    フォトセンサ
７３    抵抗
７４    インバータ回路１
７６    ＡＮＤ回路
７７    ＤＤコンバータ
７９    トランジスタスイッチ２
８０    ＬＥＤ
９０    人感センサ制御回路
９１    人感センサ
９２    タイマーＩＣ
９３    可変抵抗
９４    コンデンサ
Ｓ０    人感センサ出力
ＤＣ    タイマーＩＣの端子
ＴＨ    タイマーＩＣのしきい値検出端子
【図１】
0005467212.tif 000003
【図２】
0005467212.tif 000004
【図３】
0005467212.tif 000005
【図４】
0005467212.tif 000006